【事件の表示】
　特許第３３１３３５９号「複合機及びステータス通知方法」の請求項１、４ないし１０に係る特許に対する特許異議の申立てについて、次のとおり決定する。
【結　論】
　訂正を認める。
　特許第３３１３３５９号の請求項５に係る特許を取り消す。
　同請求項１、４、６ないし９に係る特許を維持する。
【理　由】
１． 手続の経緯
 本件特許第３３１３３５９号に係る発明についての出願は、平成１１年１月２８日（1999.1.28）に特許出願した特願平１１−１９５１号を分割して平成１３年１月２３日に新たな特許出願（特願２００１−１４９０８号）し、平成１４年５月３１日にその発明について特許の設定登録がなされた（請求項の数１０）後、その特許について、特許異議申立人キャノン株式会社より特許異議の申立てがなされ、取消理由通知がなされ、その指定期間内である平成１５年９月１６日に訂正請求がされた後、訂正拒絶理由通知がなされ、訂正拒絶理由に対して手続補正書が提出されたものである。
　
２．訂正の適否についての判断
２−１．訂正請求に対する補正の適否について
　当該補正は、訂正請求における請求項５についての訂正事項を削除し、請求項５を元に戻すものであるから、適法なものと認める。
２−２．訂正の適否について
　上記補正が認められるので、特許権者が求めている訂正の内容は、特許請求の範囲について、請求項６を削除すると共に、以下のように訂正するものである。
「【請求項１】　プリンタ手段、コピー手段を併せ持つ複合機において、
　構造化記述言語で作成されホームページから提供可能な各種機能を表示する機能表示画面部分を構成するメインファイルと、構造化記述言語で作成され前記プリンタ手段、前記コピー手段を構成するプリンタおよびスキャナの各デバイスが動作可能状態であるかエラー状態であるかを示すステータス情報を前記各デバイス毎に一画面で表示するステータス画面部分を構成するステータスファイルとから構成され、ホームページに機能表示画面部分及びステータス画面部分を分割表示させるホームページファイルを蓄積した記憶部と、
　前記各デバイスのいずれかに状態変化があると、変化した状態を示す前記各デバイス右欄毎に記憶し、この記憶した情報に基づいて、前記各デバイスの状態変化後のステータス情報が前記ステータス画面部分に表示されるように前記記憶部に蓄積された前記ステータスファイルを書き換えるステータス情報生成手段と、
　ネットワーク経由で接続されたクライアント端末からの要求に対して該当ファイルを前記クライアント端末へ送信してホームページを前記クライアント端末のブラウザで閲覧可能にするＷＷＷサーバ部とを備え、
　前記ＷＷＷサーバ部がクライアント端末から受信したホームページファイルの要求に対して前記メインファイル及びステータスファイルを送信して前記クライアント端末にて前記機能表示画面部分と前記ステータス画面部分とから構成されるホームページ画面を表示し、前記クライアント端末から前記ステータスファイルが要求されたら最新のステータスファイルだけを送信して前記ステータス画面部分だけを更新することを特徴とする複合機。
【請求項２】　プリンタ手段、コピー手段を併せ持つ複合機において、
　構造化記述言語で作成されホームページから提供可能な各種機能を表示する機能表示画面部分を構成するメインファイルと、構造化記述言語で作成され前記プリンタ手段、前記コピー手段を構成するプリンタおよびスキャナの各デバイスが動作可能状態であるかエラー状態であるかを示すステータス情報を前記各デバイス毎に表示するステータス画面部分を構成するステータスファイルとから構成され、ホームページに機能表示画面部分及びステータス画面部分を分割表示させるホームページファイルを蓄積した記憶部と、
　前記各デバイスのいずれかに状態変化があると状態変化後のステータス情報が前記ステータス画面部分に表示されるように前記記憶部に蓄積された前記ステータスファイルを書き換えるステータス情報生成手段と、
　ネットワーク経由で接続されたクライアント端末からの要求に対して該当ファイルを前記クライアント端末へ送信してホームページを前記クライアント端末のブラウザで閲覧可能にするＷＷＷサーバ部とを備え、
　前記ＷＷＷサーバ部がクライアント端末から受信したホームページファイルの要求に対して前記メインファイル及びステータスファイルを送信して前記クライアント端末にて前記機能表示画面部分と前記ステータス画面部分とから構成されるホームページ画面を表示し、前記クライアント端末から前記ステータスファイルが要求されたら最新のステータスファイルだけを送信して前記ステータス画面部分だけを更新することを特徴とする複合機において、
　前記ステータスファイルは、ステータス情報を更新する更新時間が設定されていて、前記クライアント端末において前記ホームページを表示したまま前記更新時間が経過したら当該クライアント端末から自動的に前記ステータスファイルの要求を発生させて、前記クライアント端末へ前記ステータスファイルだけを送信することによりホームページのうちステータス画面部分だけを更新することを特徴とする複合機。
　【請求項３】　前記ステータス画面部分にステータス情報の更新指示ボタンを設け、前記更新時間が経過する前に前記更新指示ボタンが選択されたならば即座に前記ステータスファイルの要求を発生させることを特徴とする請求項２記載の複合機。
　【請求項４】　前記ステータス情報生成手段は、前記各デバイス毎に複数に分類されたデバイス状態と複数のステータス情報とを対応づけるテーブルを参照して、状態変化が検出されたデバイスの変化後のステータス情報を選択する請求項１から請求項３のいずれかに記載の複合機。
　【請求項５】　前記機能表示画面部分には、文書の転送指示を行うための指示ボタンを表示することを特徴とする請求項１から請求項４のいずれかに記載の複合機。
　【請求項６】　前記ステータス情報は、デバイス状態を画像で示す状態アイコンとして表示され、この状態アイコンは、前記ステータスファイルの中に書き換え可能なファイル名で設定され、複数の状態にそれぞれ対応して登録された複数のファイル名の中からいずれか１つを選んで前記ステータスファイルに設定されて前記ステータス画面部分に表示されることを特徴とする請求項１から請求項５のいずれかに記載の複合機。
　【請求項７】　前記状態アイコンは、デバイスの状態を記述したコメントを含むことを特徴とする請求項６に記載の複合機。
　【請求項８】　前記ステータス情報としてアイドルの情報を有することを特徴とする請求項１から請求項７のいずれかに記載の複合機。
　【請求項９】　プリンタ手段、コピー手段を併せ持つ複合機において、構造化記述言語で作成されホームページから提供可能な各種機能を表示する機能表示画面部分を構成するメインファイルと、構造化記述言語で作成され前記プリンタ手段、前記コピー手段を構成するプリンタおよびスキャナの各デバイスが動作可能状態であるかエラー状態であるかを示すステータス情報を前記各デバイス毎に一画面で表示するステータス画面部分を構成するステータスファイルと、を別々に管理し、前記各デバイスのいずれかに状態変化があると、変化した状態を示す情報を前記各デバイス毎に記憶し、この記憶した情報に基づいて、前記各デバイス状態変化後ののステータス情報が前記ステータス画面部分に表示されるように前記ステータスファイルの書き換えを実行し、前記複合機にネットワーク経由で接続されたクライアント端末からホームページファイルの要求を受信したら、前記メインファイル及びステータスファイルを前記クライアント端末へ送信し、前記クライアント端末において開かれたホームページに前記機能表示画面部分と前記ステータス画面部分とを分割表示する、ことを特徴とするステータス通知方法。」
     　
２−３．訂正の目的の適否、新規事項の有無、及び特許請求の範囲の拡張・変更の存否
　上記訂正は、【請求項１】については、
ａ．冒頭の「プリンタ機能、コピー機能を併せ持つ複合機において」なる記載を「プリンタ手段、コピー手段を併せ持つ複合機において」に、
ｂ．ステータスファイルについての記載における「前記各機能」なる記載を「前記プリンタ手段、前記コピー手段を構成するプリンタおよびスキャナの各デバイス」に、
ｃ．ステータスファイルについて「ステータス情報を機能毎に表示する」なる記載を「ステータス情報を前記各デバイス毎に一画面で表示する」に、
ｄ．ステータスファイル情報生成手段について「前記機能に対応するデバイスに状態変化があると状態変化後の」を「前記各デバイスのいずかれに状態変化があると、変化した状態を示す情報を前記各デバイス毎にに記憶し、この記憶した情報に基づいて、前記各デバイスの状態変化後の」に、それぞれ訂正するものである。
　上記ａの訂正事項は、当該請求項における「複合機」について明りょうにしたもので、明りょうでない記載の釈明を目的としたものに該当し、明細書の段落【０００１】の記載に基づいたものである。上記ｂ，ｃの訂正事項は、当該請求項に係る発明における「ステータスファイル」についてさらに具体的に限定し明りょうにしたもので、特許請求の範囲の減縮および明りょうでない記載の釈明を目的としたものに該当し、主に明細書の段落【００５０】及び図６の記載に基づくものである。
上記ｄの訂正事項は、当該請求項に係る発明の構成要素である「ステータス情報生成手段」について更に具体的に限定するもので、特許請求の範囲の減縮を目的としたものに該当し、主に明細書の段落【００５５】〜【００５９】及び図９の記載に基づくものである。
　同じく請求項２についての訂正は、請求項１と請求項２を組み合わせたもので、請求項１に対応する部分は上記ａ〜ｄと同様の訂正をするものであり、特許請求の範囲の減縮及び明りょうでない記載の釈明を目的としたものに該当する。
（請求項４について）
「各機能毎に」を「前記各デバイス毎に」に訂正するものであり、明りょうでない記載の釈明を目的としたものに該当し、主に明細書の段落【００６０】、【００６１】及び図８の記載に基づくものである。
【請求項６】（旧請求項７）について
　状態アイコンについて、「前記ステータス情報としてデバイス状態を画像で示す状態アイコンを用いる」との記載を「この状態アイコンは、前記ステータスファイルの中に書き換え可能なファイル名で設定され、複数の状態にそれぞれ対応して登録された複数のファイル名の中からいずれか１つを選んで前記ステータスファイルに設定されて前記ステータス画面部分に表示される」と訂正するものであり、特許請求の範囲の減縮を目的としたものに該当し、主に明細書の段落【００５１】、【００６０】、【００６１】、図７及び図８の記載に基づくものである。また、当該請求項は、請求項の従属関係の整合性をとるための訂正もされていることから、明りょうでない記載の釈明を目的としたものにも該当する。
【請求項７】、【請求項８】について
　当該請求項における訂正事項は、請求項の従属関係の整合性をとるためのものであり、明りょうでない記載の釈明を目的としたものに該当する。
【請求項９】（旧請求項１０）について
　当該請求項における訂正の内容は、【請求項１】の場合と同様であり、特許請求の範囲の減縮及び明りょうでない記載の釈明を目的としたものに該当し、【請求項１】の場合と同様の段落及び図面の記載に基づくものである。
　また、上記各訂正は、新規事項の追加に該当せず、特許請求の範囲を実質上拡張し、又は変更するものでもない。　
２−４．むすび
　以上のとおりであるから、上記訂正は、特許法第１２０条の４第２項及び同条第３項において準用する特許法第１２６条第２項から第４項までの規定に適合するので、当該訂正を認める。
     　
３． 特許異議の申立てについて
３−１．申立ての理由の概要
　特許異議申立人は、甲第１号証乃至甲第４号証及び参考文献１，２を提出して、本件の特許査定時の特許請求の範囲の請求項１、４乃至１０に記載された発明は、甲第１号証乃至甲第４号証に記載された発明と周知技術とから当業者が容易に発明をすることができたものであるから、本件の特許査定時の特許請求の範囲の請求項１、４乃至１０に記載された発明の特許は、特許法第29条第２項の規定に違反してされたものであり、また、本件の特許査定時の特許請求の範囲の請求項１、５、６及び１０の記載は不明りょうであり、本件の特許査定時の特許請求の範囲の請求項１、５、６及び１０に記載された発明の特許は特許法第３６条第４項又は第６項の規定に違反してなされてものであり、取り消されるべき旨主張する。 
     　
３−２．記載不備について
　請求項１，１０について検討すると、特許査定時の請求項１、１０は上記訂正によりそれぞれ上記【請求項１】、【請求項９】に訂正された結果、申立人が指摘した不明りょうな点は解消したので、請求項１，１０は特許法第３６条第４項又は第６項に規定する要件は満たしているものと認める。
　請求項５について検討すると、当該請求項に記載されている「文書を転送する指示ボタン」とは如何なるものであるか発明の詳細な説明を参照しても不明である。
　したがって、当該請求項は特許法第３６条第５項に規定する要件を満たしていないので当該請求項に係る特許は取り消されるべきものである。
　特許査定時の請求項６については上記訂正により削除された。
　
３−３．進歩性について
３−３−１．本件発明
　上記のとおり、訂正は認められるから、本件特許の発明（請求項１、請求項４、請求項６〜８、請求項９）は、訂正された特許明細書に記載されたとおりのものであると認められるところ、そのうち請求項１に係る発明（以下、「本件発明」という。）は、次のとおりである。
「プリンタ手段、コピー手段を併せ持つ複合機において、
　構造化記述言語で作成されホームページから提供可能な各種機能を表示する機能表示画面部分を構成するメインファイルと、構造化記述言語で作成され前記プリンタ手段、前記コピー手段を構成するプリンタ及びスキャナの各デバイスが動作可能状態であるかエラー状態であるかを示すステータス情報を前記各デバイス毎に一画面で表示するステータス画面部分を構成するステータスファイルとから構成され、ホームページに機能表示画面部分及びステータス画面部分を分割表示させるホームページファイルを蓄積した記憶部と、
　前記各デバイスのいずれかに状態変化があると、変化した状態を示す前記各デバイス右欄毎に記憶し、この記憶した情報に基づいて、前記各デバイスの状態変化後のステータス情報が前記ステータス画面部分に表示されるように前記記憶部に蓄積された前記ステータスファイルを書き換えるステータス情報生成手段と、
　ネットワーク経由で接続されたクライアント端末からの要求に対して該当ファイルを前記クライアント端末へ送信してホームページを前記クライアント端末のブラウザで閲覧可能にするＷＷＷサーバ部とを備え、
　前記ＷＷＷサーバ部がクライアント端末から受信したホームページファイルの要求に対して前記メインファイル及びステータスファイルを送信して前記クライアント端末にて前記機能表示画面部分と前記ステータス画面部分とから構成されるホームページ画面を表示し、前記クライアント端末から前記ステータスファイルが要求されたら最新のステータスファイルだけを送信して前記ステータス画面部分だけを更新することを特徴とする複合機。」
　
３−３−２．取消しの理由で引用された刊行物に記載された発明
 刊行物１：特開平１０−１６４１１５号公報（申立人の提出した甲第１号証）
　同刊行物には、ネットワーク周辺機器と通信する方法及び装置に関し、複写機にネットワークインターフェースボード（ＮＩＢ）を接続し、ＮＩＢは、複写機との間で通信を行って複写機のステータスなどの情報を取り込み、複写機のステータスをＨＴＴＰプロトコルを用いて外部にあるパソコン端末で閲覧可能にすることや、閲覧の際、パソコン端末に、ステータス画面とメイン画面とからなるホームページ画面を表示されることが記載されている。
刊行物２：特開平７−７９３０７号公報（申立人の提出した甲第２号証）
　同刊行物には、ファクシミリ機能を備えた複写装置において、画像メモリコントローラ、各装置及びソータ等の使用状態、割り当ての状態等、デバイスの状態を表示することが記載されている。
刊行物３：特開平１０−１７３８９０号公報（申立人の提出した甲第３号証）
　同刊行物には、パーソナルコンピュータ内部のファイルを遠隔地のファクシミリ装置において取り出すことが可能なファクシミリ装置に関し、記憶しているデータをブラウザからの操作により、所定の宛先にファックス送信することが記載されている。
刊行物４：特開平１０−１９１０１０号公報（申立人の提出した甲第４号証）
　同刊行物には、ＬＡＮに接続可能であり、かつ、ＬＡＮに接続された端末からファクシミリ送信可能なファクシミリ装置に関し、ＷＷＷブラウザ上で電話帳の情報を登録、修正、削除することが可能であることが記載されている。
刊行物５：特開平９−１８６３９号公報（申立人の提出した参考文献１）
　同刊行物には、デジタル複写機及びその機能をネットワークのユーザから利用するためのネットワークインターフェースボードに関し、デジタル複写機の機能、例えばスキャニングとプリンティングの機能をネットワークのユーザから利用できるようにすることが記載されている。
刊行物６：特開平９−３２５９２５号公報（申立人の提出した参考文献２）
　同刊行物には、ワールドワイドウェブなどの相互接続ネットワークとの組み合わせで使用される周辺装置を制御するための方法に関し、その周辺装置がウェブサーバを内蔵し、ウェブサーバを介して周辺装置を制御することが記載されている。
刊行物７：特開平１０−２６９０３９号公報（原審で引用された文献）
　同刊行物には、ネットワーク環境で使用する印刷システムに関し、プリンタ構成に応じた絵を含めた表現別の複数のＨＴＭＬファイルを予め用意しておくことにより更新手順を容易にすることが記載されている。
刊行物８：特開平９−２４４８６０号公報（原審で引用された文献）
　同刊行物には、ラインを介して出力装置を接続するアイコンの表示制御装置に関し、プリンタの状態をアイコンで表示することが記載されている。
　
３−３−３．対比・判断
　本件発明１と上記各刊行物に記載された発明とを対比すると、本件発明１は、「構造化記述言語で作成され前記プリンタ手段、前記コピー手段を構成するプリンタ及びスキャナの各デバイスが動作可能状態であるかエラー状態であるかを示すステータス情報を前記各デバイス毎に一画面で表示するステータス画面部分を構成するステータスファイル」という構成要件を備えると共に更に「前記各デバイスのいずれかに状態変化があると、変化した状態を示す前記各デバイス右欄毎に記憶し、この記憶した情報に基づいて、前記各デバイスの状態変化後のステータス情報が前記ステータス画面部分に表示されるように前記記憶部に蓄積された前記ステータスファイルを書き換える」という構成要件を備えるものであり、これらの構成要件により、いずれかのデバイスに状態変化があった場合に、状態変化のないデバイスも含めて、複数の異なるデバイスの状態に関する情報を複合機に内蔵のＷＷＷサーバ部からクライアント端末に対して一度に送信することができ、クライアント端末では、一度に複数の異なるデバイスの状態を確認することが可能になるものである。しかし、刊行物１〜８のいずれにも本件発明の前記構成要件についての記載がなく示唆もない。
　したがって、本件発明１は、刊行物１〜８に記載された発明に基づいて当業者が容易に発明をすることができたものであるとすることができない。
　請求項４、６、７、８、９に係る発明は、請求項１に記載された上記構成要件を含むものであるから、請求項１の場合と同様に、刊行物１〜８に記載された発明に基づいて当業者が容易に発明をすることができたものであるとすることができない。
　
４．むすび
　 以上のとおりであるから、本件請求項１、４、６〜８及び９に係る発明の特許については取り消しの理由を発見しない。
   また、請求項５に係る発明の特許については、特許法第３６条第４項又は第５、６項の規定に違反してされたものであるから取り消されるものである。
【異議決定日】
平成１６年９月２８日（２００４．９．２８）
【訂正の要旨】
審決（決定）の【理由】欄参照。
（５４）【発明の名称】
複合機及びステータス通知方法
（５７）【特許請求の範囲】
　【請求項１】　プリンタ
手段
手段
　構造化記述言語で作成されホームページから提供可能な各種機能を表示する機能表示画面部分を構成するメインファイルと、構造化記述言語で作成され
前記プリンタ手段、前記コピー手段を構成するプリンタおよびスキャナの各デバイス
前記各デバイス
一画面で
　前記
各デバイスのいずれかに
、変化した状態を示す情報を前記各デバイス毎に記憶し、この記憶した情報に基づいて、前記各デバイスの
　ネットワーク経由で接続されたクライアント端末からの要求に対して該当ファイルを前記クライアント端末へ送信してホームページを前記クライアント端末のブラウザで閲覧可能にするＷＷＷサーバ部とを備え、
　前記ＷＷＷサーバ部がクライアント端末から受信したホームページファイルの要求に対して前記メインファイル及びステータスファイルを送信して前記クライアント端末にて前記機能表示画面部分と前記ステータス画面部分とから構成されるホームページ画面を表示し、前記クライアント端末から前記ステータスファイルが要求されたら最新のステータスファイルだけを送信して前記ステータス画面部分だけを更新することを特徴とする複合機。
　【請求項２】　
プリンタ手段、コピー手段を併せ持つ複合機において、
　
構造化記述言語で作成されホームページから提供可能な各種機能を表示する機能表示画面部分を構成するメインファイルと、構造化記述言語で作成され前記プリンタ手段、前記コピー手段を構成するプリンタおよびスキャナの各デバイスが動作可能状態であるかエラー状態であるかを示すステータス情報を前記各デバイス毎に表示するステータス画面部分を構成するステータスファイルとから構成され、ホームページに機能表示画面部分及びステータス画面部分を分割表示させるホームページファイルを蓄積した記憶部と、
　
前記各デバイスのいずれかに状態変化があると状態変化後のステータス情報が前記ステータス画面部分に表示されるように前記記憶部に蓄積された前記ステータスファイルを書き換えるステータス情報生成手段と、
　
ネットワーク経由で接続されたクライアント端末からの要求に対して該当ファイルを前記クライアント端末へ送信してホームページを前記クライアント端末のブラウザで閲覧可能にするＷＷＷサーバ部とを備え、
　
前記ＷＷＷサーバ部がクライアント端末から受信したホームページファイルの要求に対して前記メインファイル及びステータスファイルを送信して前記クライアント端末にて前記機能表示画面部分と前記ステータス画面部分とから構成されるホームページ画面を表示し、前記クライアント端末から前記ステータスファイルが要求されたら最新のステータスファイルだけを送信して前記ステータス画面部分だけを更新することを特徴とする複合機において、
　前記ステータスファイルは、ステータス情報を更新する更新時間が設定されていて、前記クライアント端末において前記ホームページを表示したまま前記更新時間が経過したら当該クライアント端末から自動的に前記ステータスファイルの要求を発生させて、前記クライアント端末へ前記ステータスファイルだけを送信することによりホームページのうちステータス画面部分だけを更新することを
特徴とする複合機
　【請求項３】　前記ステータス画面部分にステータス情報の更新指示ボタンを設け、前記更新時間が経過する前に前記更新指示ボタンが選択されたならば即座に前記ステータスファイルの要求を発生させることを特徴とする請求項２記載の複合機。
　【請求項４】　前記ステータス情報生成手段は、
前記各デバイス
　【請求項５】　前記機能表示画面部分には、文書の転送指示を行うための指示ボタンを表示することを特徴とする請求項１から請求項４のいずれかに記載の複合機。
　【請求項６】　前記ステータス情報
は、
として表示され、この状態アイコンは、前記ステータスファイルの中に書き換え可能なファイル名で設定され、複数の状態にそれぞれ対応して登録された複数のファイルの中からいずれか１つを選んで前記ステータスファイルに設定されて前記ステータス画面部分に表示される
請求項５
　【請求項７】　前記状態アイコンは、デバイスの状態を記述したコメントを含むことを特徴とする
請求項６
　【請求項８】　前記ステータス情報としてアイドルの情報を有することを特徴とする請求項１から
請求項７
　【請求項９】　プリンタ
手段
手段
前記プリンタ手段、前記コピー手段を構成するプリンタおよびスキャナの各デバイス
前記各デバイス
一画面で
各デバイスのいずれかに
、変化した状態を示す情報を前記各デバイス毎に記憶し、この記憶した情報に基づいて、前記各デバイスの
【発明の詳細な説明】
　【０００１】
　【発明の属する技術分野】
　本発明は、電話回線網やインターネット又はＬＡＮ等のネットワークに接続してファクシミリデータや電子メールデータの送受信を行うことができコピー機能やプリンタ機能を持つインターネットＦＡＸ等の複合機に関する。
　【０００２】
　【従来の技術】
　最近は、インターネットＦＡＸとＷＷＷサーバとを組み合わせてファクシミリ受信データを再利用する方法が提案されている。これは、インターネットＦＡＸが電話回線から受信したデータを電子メールに変換する機能を利用したものである。
　【０００３】
　図１２に、インターネットＦＡＸとＷＷＷサーバを使用してファクシミリデータの送受信を行う場合のシステム構成を示す。
　【０００４】
　まず、インターネットＦＡＸ１１０１が電話回線を介して受信したイメージデータは、インターネットＦＡＸ内で電子メールの添付ファイル形式に変換されて電子メールの添付ファイルとしてＷＷＷサーバ１１０３宛てに送信される。
　【０００５】
　インターネットＦＡＸ１１０１から転送された電子メールは、ネットワークを介して電子メールサーバ１１０２に受信される。電子メールサーバ１１０２に受信された電子メールは、再度ネットワークを介して宛先であるＷＷＷサーバ１１０３へ転送される。
　【０００６】
　ＷＷＷサーバ１１０３は、電子メールの添付ファイルをイメージデータとして蓄積し、ファクシミリ受信用ホームページにリンクする。ここまででファクシミリ受信データの蓄積が終了する。
　【０００７】
　受信データをクライアントマシン１１０４に取り込むためには、ユーザがクライアントマシン１１０４上でＷＷＷブラウザを起動してＷＷＷサーバ１１０３のファクシミリ受信ホームページにアクセスする。そして、ＷＷＷサーバ１１０３からネットワークを介してクライアントマシン１１０４にイメージデータファイルを読み出す。
　【０００８】
　ところで、上記ファクシミリ通信システムは大容量のイメージデータがネットワーク上を何度も転送されるためネットワークトラフィックが増大する問題がある。インターネットＦＡＸにＷＷＷサーバを組み込むことはネットワークトラフィックの増大を抑える上で有効な手段である。ＷＷＷサーバを組み込んだインターネットＦＡＸの場合、イメージデータの送信者と受信者の双方がアクセスするため、これまでよりも多数のユーザが使用することになる。
　【０００９】
　【発明が解決しようとする課題】
　上述したように多数のユーザが１つのインターネットＦＡＸを使うようになると、インターネットＦＡＸの機能（ファクシミリ通信機能、電子メール通信機能、サーバ機能、プリンタ機能等）の一部に故障が発生しても多くのユーザに影響がでることから、ユーザがいつでも現在の状況を簡単に把握できることが望まれる。
　【００１０】
　本発明は、上述の課題に鑑みて為されたもので、クライアントから装置各部の状況をホームページ形式で簡単に見ることのできる複合機及びステータス通知方法を提供することを目的とする。
　【００１１】
　【課題を解決するための手段】
　本発明は、各機能の状態を表示するための構造化文書に登録される各ステータス情報を対応するデバイスの状態変化に応じて切替える一方、クライアントからの要求に応じて前記構造化文書を送信することで、クライアントに最新のステータス情報をホームページ形式で見られるようにした。
　【００１２】
　【発明の実施の形態】
　本発明の第１の態様は、装置各部の状態アイコンを表示させる構造化文書が保存された記憶部と、前記構造化文書上の状態アイコンを対応するデバイスの状態変化に応じて切替えるアイコン切替手段と、前記記憶部に保存された構造化文書を閲覧可能にするＷＷＷサーバと、を具備する構成を採る。
　【００１３】
　この構成によれば、記憶部に保存された構造化文書をホームページ形式で閲覧可能であるとともに、構造化文書上の状態アイコンを対応するデバイスの状態変化に応じて切替えるので、ユーザに最新の状態が反映された状態アイコンを提示できる。
　【００１４】
　本発明の第２の態様は、第１の態様のネットワークファクシミリ装置において、前記アイコン切替手段は、複数に分類されたデバイス状態と複数の状態アイコンとを対応づけるテーブルを参照して、状態変化が検出されたデバイスの変化後の状態アイコンを選択する構成を採る。
　【００１５】
　この構成によれば、テーブルによって複数に分類されたデバイス状態と複数の状態アイコンとが対応づけられるので、細分化されたデバイス状態の中から迅速に対応する状態アイコンを決定することができ、構造化文書中の状態アイコン名を書きかえることにより状態アイコンの変更を容易に行うことができる。
　【００１６】
　本発明の第３の態様は、第１、２の態様のネットワークファクシミリ装置において、前記構造化文書を取込んで状態アイコンを表示しているクライアントから所定時間経過すると再びＷＷＷサーバに対して前記構造化文書のファイル要求を発生させるように当該構造化文書上に命令文及び更新時間を埋め込んでおく構成を採る。
　【００１７】
　この構成によれば、アイコン切替手段によって常に最新の状態が反映されている構造化文書が定期的にクライアントへ送られて更新されるので、クライアントに表示される状態アイコンを自動更新することができる。
　【００１８】
　本発明の第４の態様は、第３の態様のネットワークファクシミリ装置において、クライアントからの処理要求を受けて、前記構造化文書に埋め込む更新時間を指定された更新時間へ変更する構成を採る。
　【００１９】
　この構成によれば、クライアントからの処理要求を受けて更新時間を更新するので、ユーザが所望の更新時間を設定できる。
　【００２０】
　本発明の第５の態様は、第１、２、３、４の態様のネットワークファクシミリ装置において、前記状態アイコンは、デバイスの状態を記述したコメントを含む構成を採る。
　【００２１】
　この構成によれば、デバイスの状態を記述したコメントが合わせて表示されるので状態をより確実にユーザに伝えることができる。
　【００２２】
　本発明の第６の態様は、装置各部の状態アイコンを表示させる構造化文書を記億部に保存するステップと、装置各部のデバイスの状態変化を検出するステップと、状態変化の検出されたデバイスについて状態変化後のデバイス状態に対応した状態アイコンが表示されるように構造化文書の内容を更新するステップと、クライアントからのファイル要求に応えて前記構造化文書を送信するステップと、を具備する状態アイコン提示方法である。
　【００２３】
　以下、本発明の実施の形態について図面を参照して詳細に説明する。
　【００２４】
　図１に本実施の形態にかかるネットワークファクシミリ装置の機能ブロックを示す。オペレーティングシステム上で動作するＣＰＵ１に、ＲＯＭ２、ＲＡＭ３及び外部記憶部４がＣＰＵ１からアクセス可能に接続されている。ＲＯＭ２にはサーバ側処理プログラムを初めとした各種プログラムが記憶され、ＲＡＭ３はＲＯＭ２に記憶されるプログラムの作業エリア等として使用される。また、外部記憶部４には圧縮されたイメージデータやＨＴＭＬファイルなどが格納される。
　【００２５】
　また、本実施の形態にかかるネットワークファクシミリ装置は、スキャナ部５、プリンタ部６、パネル部７、圧縮・伸長部８、ＦＡＸ・音声通信部９及びネットワーク制御部１０を備えており、これら構成要素がＣＰＵ１の管理下で動作するように構成されている。
　【００２６】
　このネットワークファクシミリ装置は、スキャナ部５によって原稿などのイメージデータの読み取りを行い、読み取ったイメージデータ又は受信したイメージデータの印刷をプリンタ部６にて行う。また、パネル部７からユーザがイメージの読み込み指示や送信先の宛先入力などの操作を行えるようになっており、圧縮・伸長部８が受信したイメージデータの伸長または読み取ったイメージデータの圧縮を行う。ＦＡＸ・音声通信部９は電話回線に接続し、ファクシミリ通信や音声通信を行い、ネットワーク制御部１０はネットワークに接続し、ネットワークデータ通信及びデータ電子メール通信を行う。
　【００２７】
　ＲＯＭ２に格納されたプログラムには、ＨＴＭＬファイル生成部１１、ＷＷＷサーバー部１２、電子メール通信部１３、ＴＩＦＦ変換部１４の各プログラムが含まれている。ＨＴＭＬファイル生成部１１、ＷＷＷサーバー部１２、電子メール通信部１３、ＴＩＦＦ変換部１４は、ＣＰＵ１がそれらのプログラムを実行することにより提供される機能であるが、説明の便宜上は図１に示すようにプログラム自体に付与した参照符号をつかってそれらの機能を説明する。
　【００２８】
　ＨＴＭＬファイル生成部１１は、スキャナ部５、プリンタ部６、パネル部７、ＦＡＸ・音声通信部９の状態（アイドル、動作中、エラー等）を、ホームページ形式で閲覧できるようにＨＴＭＬファイルに変換してサーバ登録する機能ブロックである。
　【００２９】
　ＷＷＷサーバー部１２は、ＷＷＷブラウザとの間でＨＴＴＰプロトコルにしたがった通信を行い、ホームページデータ（ＨＴＭＬファイル）の受け渡しをする等のサーバ機能を提供する。
　【００３０】
　電子メール通信部１３は、ネットワークを介して電子メールの送受信を行う他、電子メールサーバとして機能する。また、ＴＩＦＦ変換部１４は、符号化されたファクシミリデータや文書ファイルデータをＴＩＦＦ形式に変換する機能を提供する。スキャナ部５又は蓄積されているファクシミリデータを電子メールで送信する場合は、ＴＩＦＦ変換部１４でＴＩＦＦ形式に変換し、このＴＩＦＦファイルを添付ファイルとして含む電子メールを作成する。すなわち、ＴＩＦＦファイルをテキストコード化し、ＭＩＭＥのような複合構造化メールのデータ部に入れる。一方、電子メールで受信したデータをファクシミリ送信する場合は、電子メールの電子ファイル部分をテキストコードからＴＩＦＦファイルにバイナリ変換する。また、ＴＩＦＦ変換部１４でＴＩＦＦファイルを展開する。非圧縮であればさらに圧縮・伸長部８でＭＨ等の圧縮処理を加えたデータを送信する。
　【００３１】
　図２に、本実施の形態にかかるネットワークファクシミリ装置を電話回線及びネットワークに接続した場合のシステム構成を示す。図２において、ネットワークファクシミリ装置２０１は電話回線に接続するとともにネットワークインタフェースを介してネットワークに接続している。クライアントマシン２０２上でＷＷＷブラウザを動作させることで、ネットワークファクシミリ装置２０１上で提供しているホームページの閲覧を行うことができるようになる。
　【００３２】
　図３に、ＨＴＭＬファイル生成部１１、ＷＷＷサーバー部１２、電子メール通信部１３及びＦＡＸ・音声通信部９の機能ブロック及びブロック間のデータ処理の流れを示す。
　【００３３】
　ＷＷＷサーバー部１２は、ＷＷＷサーバ通信部３１がＨＴＴＰプロトコルにしたがってクライアントマシン２０２上で動作しているＷＷＷブラウザと通信する。ＷＷＷサーバ通信部３１がクライアントマシン２０２から受信したコマンドはＣＧＩストリング解析部３２で解析される。
　【００３４】
　ＣＧＩストリング解析部３２は、受信データに含まれたＣＧＩストリングを解析して、その解析結果をＣＧＩアプリ判断部３３に渡して該当するＣＧＩアプリケーション３４を起動する。ＣＧＩアプリケーション３４は、受信データを用いて所定の処理を実行する。ＣＧＩアプリケーション３４には、送信、ＨＴＭＬ文書の削除、アドレス帳生成、装置設定などのアプリケーションが含まれる。例えば、送信ＣＧＩアプリケーションはクライアントマシンから指定された文書を指定された宛先にファクシミリ送信又は電子メール送信するように該当デバイスを制御する。
　【００３５】
　ファイル送出部３５は、クライアントマシン２０２からファイル要求の出されたファイルをファイル管理部３６から受け取りＷＷＷサーバ通信部３１へ渡す。ＣＧＩ処理の要求されていないファイル要求の場合にはファイル送出部３５がファイル管理部３６に対して該当ファイルを要求する。
　【００３６】
　ＨＴＭＬファイル生成部１１は、ドキュメントリストのＨＴＭＬファイルを作成するドキュメントリスト生成部３７、アドレス帳のＨＴＭＬファイルを作成するアドレス帳生成部３８を備える。
　【００３７】
　ドキュメントリスト生成部３７は、受信電子メール、受信ＦＡＸを表示した受信リストのＨＴＭＬファイルを作成したり、ＣＧＩアプリケーション３４から与えられる命令及び受信データによってＨＴＭＬファイルの一部を削除、編集、移動などする。
　【００３８】
　アドレス帳生成部３８は、アドレス帳ＣＧＩアプリケーションからの命令及び受信データによってアドレス帳のＨＴＭＬファイルを修正する。またアドレス帳生成部３８は、電源投入時やアドレス帳の内容を変更などしたときに最新のアドレステーブルデータをアドレス帳のＨＴＭＬファイルに組み込む処理も実行する。
　【００３９】
　また、ＨＴＭＬファイル生成部１１は、通信結果リスト生成部３９及びステータス情報生成部４１を備える。通信結果リスト生成部３９は、ＦＡＸ・音声通信部９及び電子メール通信部１３から通信結果を示すログ情報を貰って通信結果リストを表したＨＴＭＬファイルを作成・更新する。
　【００４０】
　ステータス情報生成部４１は、スキャナ部５、プリンタ部６、パネル部７、ＦＡＸ・音声通信部９からそれらの状態を示すステータス信号を取込んで上記各部の状態が登録されたＨＴＭＬファイルを作成・更新する。例えば、プリンタの状態としてアイドル、動作中、エラー（ジャム、トナー切れ）があるとすれば、これら各状態を視覚的に訴えるアイコンを作成しておく。そして、プリンタ部６からのステータス信号に応じて該当する状態のアイコンをＨＴＭＬファイル（ステータスｈｔｍｌ）に登録する。
　【００４１】
　ＦＡＸ・音声通信部９は、送信ＣＧＩアプリケーションから送信処理の指示、送信文書番号、宛先端末のＦＡＸ番号等を渡される。送信文書番号が渡された場合は該当文書番号の送信データ（イメージ）を外部記憶部４から取り出して送信バッファに入れ、電話回線に接続して宛先端末のＦＡＸ番号へ送信する。
　【００４２】
　電子メール通信部１３は、送信ＣＧＩアプリケーションから送信処理の指示、送信文書番号、宛先端末のメールアドレス等を渡される。送信文書番号が渡された場合は該当文書番号の送信データを外部記憶部４から取り出して送信バッファに入れ、ＬＡＮ又はダイヤルアップでインターネットに代表される各種ネットワークに接続して宛先端末のアドレスへ送信する。
　【００４３】
　次に、本実施の形態にかかるネットワークファクシミリ装置の動作について説明する。本装置の各部の現在の状態を表すアイコンをクライアントマシン２０２上に表示させる動作を、図４のフロー図に従って説明する。
　【００４４】
　ネットワークファクシミリ装置は、ホームページアドレス（ＵＲＬアドレス）が入力されるまでは待機状態にある。
　【００４５】
　ネットワークに接続されたクライアントマシン２０２が、ＷＷＷブラウザ（閲覧ソフト）を起動し、ネットワークファクシミリ装置のＵＲＬを入力してアクセスする（ＳＴ４０１）。
　【００４６】
　アクセスを受けたネットワークファクシミリ装置は、ＷＷＷサーバー部１２がＵＲＬを受け取って応答する。ＷＷＷサーバー部１２は、クライアントマシン２０２からＵＲＬを受信した場合、ホームページのメイン画面のファイルを表示するためのＨＴＭＬ文書であるインデックスファイル（ｉｎｄｅｘ．ｈｔｍｌ）を送出する（ＳＴ４０２）。
　【００４７】
　クライアントマシン２０２のＷＷＷブラウザは、ｉｎｄｅｘ．ｈｔｍｌの内容を解析して必要なファイルを要求するコマンドをＷＷＷサーバー部１２に対して送出する（ＳＴ４０３）。
　【００４８】
　図５に示すように、インデックスファイル（ｉｎｄｅｘ．ｈｔｍｌ）はメインファイル（ｍａｉｎ．ｈｔｍｌ）とステータスファイル（ｓｔａｔｕｓ．ｈｔｍｌ）とからなる。クライアントマシン２０２は、メインファイルとステータスファイルとをＷＷＷサーバー部１２に対してファイル要求する。メインファイルにはパーソナルアイコン、掲示板アイコン等のホームページのメイン画面部分を構成する各種ファイルが含まれているので、これらのファイル要求が出される。ステータスファイルにはパネル部７の状態を示すパネル状態アイコン（ｐｎｌｘｘ．ｇｉｆ）、プリンタ部６の状態を示すプリンタ状態アイコン（ｐｒｔｘｘ．ｇｉｆ）、スキャナ部５の状態を示すスキャナ状態アイコン（ｓｃｎｘｘ．ｇｉｆ）、ＦＡＸ・音声通信部９の状態を示す通信状態アイコン（ｆａｘｘｘ．ｇｉｆ）のステータス画面部分を構成する各ファイルが含まれているので、これらのファイル要求が出される。
　【００４９】
　クライアントマシン２０２では、上記ファイル要求で必要なファイルを取得してホームページメイン画面を表示させる（ＳＴ４０５）。図６に示すように、メイン画面はメインファイルに基づいて構成されたドキュメントフォルダ及び設定・ツールの各アイコンと、ステータスファイルに基づいて構成されたステータスの各アイコンとが表示される。
　【００５０】
　パネル状態アイコン６１、プリンタ状態アイコン６２、スキャナ状態アイコン６３及び通信状態アイコン６４は、それぞれ各部の形態を観念的に表した形状のシンボルマークと、各シンボルマークのすぐ下に表記される各部の状態を示すコメントと、から構成される。シンボルマークは各状態に応じてその表示色が異なるようにしている。例えば、アイドル状態の色はグレー、動作中の色はグリーン、エラーはレッドとする。本実施の形態では、シンボルマークの表示色とコメントとで状態を表現している。図６に示す例では、プリンタ状態アイコン６２は、プリンタの形態を観念的に表した形状のシンボルマーク６５と、シンボルマーク６５のすぐ下に表記された状態を示すコメント６６＝「パワーセーブ」とから構成される。
　【００５１】
　図７にステータスファイルのソースファイルを示す。「ＩＭＧ　ＳＲＣ＝…」の行に状態アイコンのファイル名が設定されている。パネル状態アイコン６１のファイル名は「ｐｎｌ００．ｇｉｆ」、プリンタ状態アイコン６２のファイル名は「ｐｒｔ００．ｇｉｆ」、スキャナ状態アイコン６３のファイル名は「ｓｃｎ００．ｇｉｆ」、通信状態アイコン６４のファイル名は「ｆａｘ００．ｇｉｆ」である。これら状態アイコンのファイルを本ネットワークファクシミリ装置から取得して、図６に示すステータス画面部分を表示している。
　【００５２】
　また、ステータスファイルには「ＭＥＴＡ　ＨＴＴＰ−ＥＱＵＩＶ＝…」の行に状態アイコンを更新する時間を設定している。「“Ｒｅｆｒｅｓｈ”　ＣＯＮＴＥＮＴ＝”ｘｘ”」で更新時間が定められる。
　【００５３】
　ここで、本ネットワークファクシミリ装置におけるステータスファイルの生成動作について説明する。外部記憶部４にはステータスｈｔｍｌが保存されており、ステータス情報生成部４１が、各部に状態の変化を検出するとステータスｈｔｍｌの該当データを更新している。
　【００５４】
　図９にステータス情報生成部４１によるステータスｈｔｍｌの更新動作のフローチャートを示す。スキャナ部５、プリンタ部６、パネル部７、ＦＡＸ・音声通信部９では自己の動作状態を管理していて、定期的に又はリアルタイムで現在の状態を示すステータス信号をＣＰＵ１に通知する。又は、自己の動作状態をデバイス内に保持していて、ＣＰＵ１がそのステータス信号を取りに行く。
　【００５５】
　ステータス情報生成部４１は、パネル部７のステータス信号をチェックして、前回チェック時のパネル状態と今回のパネル状態とが異なっているか否か判断する（ＳＴ９０１）。状態変化が検出されれば、今回のパネル状態に対応したパネル状態番号をセットし、フラグをＯＮさせる（ＳＴ９０２）。このフラグは状態変化があったことを示すフラグである。パネル状態番号はパネル状態としてパネル状態アイコン６１で表示予定の個々の状態に対して付与されている。他の状態番号も同様である。状態変化が検出されない場合は、プリンタ部６のチェックに移行する。
　【００５６】
　次に、プリンタ部６のステータス信号をチェックして、前回チェック時のプリンタ状態と今回のプリンタ状態とが異なっているか否か判断する（ＳＴ９０３）。状態変化が検出されれば、今回のプリンタ状態に対応したプリンタ状態番号をセットし、フラグをＯＮさせる（ＳＴ９０４）。状態変化が検出されない場合は、スキャナ部５のチェックに移行する。
　【００５７】
　次に、スキャナ部５のステータス信号をチェックして、前回チェック時のスキャナ状態と今回のスキャナ状態とが異なっているか否か判断する（ＳＴ９０５）。状態変化が検出されれば、今回のスキャナ状態に対応したスキャナ状態番号をセットし、フラグをＯＮさせる（ＳＴ９０６）。状態変化が検出されない場合は、ＦＡＸ・音声通信部９のチェックに移行する。
　【００５８】
　次に、ＦＡＸ・音声通信部９のステータス信号をチェックして、前回チェック時の通信状態と今回の通信状態とが異なっているか否か判断する（ＳＴ９０７）。状態変化が検出されれば、今回の通信状態に対応した通信状態番号をセットし、フラグをＯＮさせる（ＳＴ９０８）。
　【００５９】
　このようにして各部の状態チェックが終了したら、フラグがＯＮされたデバイスがあったかどうかチェックする（ＳＴ９０９）。フラグがＯＮされたデバイスがあればステータスｈｔｍｌの更新を行う（ＳＴ９１０）。
　【００６０】
　ステータスｈｔｍｌの更新について、プリンタを例に説明する。図８にプリンタ状態番号とファイル名の対応テーブルを示す。プリンタ部６で発生する個々の状態に対してプリンタ状態番号が付与されている。対応テーブルには、各プリンタ状態番号に対応してプリンタ状態アイコンのファイル名（ｇｉｆファイル）が登録されている。このｇｉｆファイルに、プリンタ状態番号に対応したプリンタ状態を視覚的に示すシンボルマークとコメントが含まれている。対応テーブルに登録されている状態アイコンのｇｉｆファイルは外部記憶部４に状態アイコンファイル群として保存されている。
　【００６１】
　ステップＳＴ９１０では、図８の対応テーブルを参照して、フラグＯＮされたデバイスの状態番号に対応する状態アイコンのファイル名を取得する。そして、外部記憶部４から図７のステータスｈｔｍｌを取り出す。いま、プリンタ部６の状態がパワーセーブ状態から用紙切れ状態に変化したものとする。この場合、更新前のステータスｈｔｍｌにはプリンタ状態アイコンのファイル名として”ｐｒｔ００．ｇｉｆ”が設定されている。更新処理では、プリンタ状態アイコンのファイル名を”ｐｒｔ００．ｇｉｆ”から”ｐｒｔ０２．ｇｉｆ”に書換える。”ｐｒｔ０２．ｇｉｆ”のファイルには、プリンタシンボルをレッドで表示したシンボルマークと「用紙切れ」のコメントとからなるプリンタ状態アイコンが登録されている。したがって、クライアントマシン２０２が更新後のステータスｈｔｍｌを読み込むと、プリンタ状態アイコン６２が用紙切れを表すアイコンに変わる。
　【００６２】
　このように、本ネットワークファクシミリ装置側ではステータス情報生成部４１が、スキャナ部５、プリンタ部６、パネル部７、ＦＡＸ・音声通信部９の状態を監視していて、状態に変化があれば変化後の状態に対応した状態アイコンをステータスｈｔｍｌに反映させている。
　【００６３】
　図１０にクライアントマシン２０２でステータスｈｔｍｌを読み込むタイミングのフローチャートを示す。上記したように図６のホームページのメイン画面を開いたときに（ＳＴ１００１）、ステータスｈｔｍｌを読み込んでステータスに関連する状態アイコン等を表示させる（ＳＴ１００２）。ホームページのメイン画面に状態アイコンを表示させたまま更新時間が経過すると（ＳＴ１００３）、またネットワークファクシミリ装置からスタータスｈｔｍｌを読み込み、この新しく読み込んだスタータスｈｔｍｌにて状態アイコンを表示させる。更新時間は、図７のソースファイル（ステータスｈｔｍｌ）において”Ｒｅｆｒｅｓｈ　ＣＯＮＴＥＮＴ＝ｘｘ”で指定された時間である。ＷＷＷブラウザは、読み込んだステータスｈｔｍｌに上記更新時間の行が挿入されていれば、更新時間が経過する度にステータスｈｔｍｌを更新する。これにより、指定時間の間にネットワークファクシミリ装置側でデバイスに状態変化があれば変化後の状態アイコンが表示されることになる。
　【００６４】
　また、更新時間内にユーザから読込指示があれば（ＳＴ１００４）、更新時間に達しなくてもネットワークファクシミリ装置からステータスｈｔｍｌを読み込んで更新する。図７に示すステータスｈｔｍｌのソースファイルの５行目（ＡＨＲＥＦ＝・・・）に、画面表示の「ステータス」を選択したら”ｓｔａｔｕｓ．ｈｔｍｌ”を読み込む、といった命令の行を入れている。したがって、ステップＳＴ１００４において、図６のメイン画面を表示した状態のとき「ステータス」と書かれたアイコンが選択されると、ステップＳＴ１００２へ移行してステータスｈｔｍｌを読み直すことになる。メイン画面の表示が終了するまで、上記各ステップの処理を繰り返す（ＳＴ１００５）。
　【００６５】
　これにより、ユーザはネットワークファクシミリ装置の現在の状態を知りたいときに、「ステータス」と書かれたアイコンを選択することにより、即座に更新された状態アイコンを見ることができる。
　【００６６】
　次に、図４のフローチャートに戻ってステータス情報更新時間をクライアントマシン２０２から設定する動作について説明する。いま、ステップＳＴ４０５でホームページのメイン画面が表示されているときに、図６の更新時間設定アイコン６７が選択されたものとする。ＷＷＷブラウザは更新時間設定アイコン６７が選択されると、設定画面ファイルの要求を出す（ＳＴ４０６）。
　【００６７】
　図１１に更新時間を設定するための設定画面の構成例を示す。この設定画面のＨＴＭＬファイルが外部記憶部４に保存されている。ファイル要求を受けたＷＷＷサーバー部１２はファイル管理部３６に該当ファイルを要求する。外部記憶部４から読み出された設定画面のＨＴＭＬファイルはクライアントマシン２０２へ送信される（ＳＴ４０７）。
　【００６８】
　設定画面のＨＴＭＬファイルを受信したクライアントマシン２０２は、図１１に示す設定画面を表示させる（ＳＴ４０８）。設定画面にはステータス情報の更新時間を入力するボックスが設けられている。ユーザは、このボックスに所望の更新時間を入力してから決定ボタンを押すことになる。設定画面の決定ボタンが押されると、ステータスｈｔｍｌの指定時間を更新する処理を要求するＣＧＩ処理要求が出力される（ＳＴ４０９）。
　【００６９】
　ＷＷＷサーバー部１２は、ＣＧＩストリング解析部３２が受信データのＵＲＬエンコーディングされているＣＧＩストリングをデコードして解析する（ＳＴ４１０）。解析結果をＣＧＩアプリ判断部３３へ与える。ＣＧＩアプリ判断部３３はＣＧＩ処理要求されているアプリケーションを判定し（ＳＴ４１１）、装置設定ＣＧＩアプリケーションが指定されていれば（ＳＴ４１２）、装置設定ＣＧＩアプリケーションを起動して更新時間データを渡す。装置設定ＣＧＩアプリケーションは、ステータスｈｔｍｌの更新時間に関する処理要求である場合は、ステータス情報生成部４１に更新時間データを渡して、ステータスｈｔｍｌ内の更新時間データを指定された更新時間に更新するように命令する。これにより、ステータス情報生成部４１がステータスｈｔｍｌ内の該当データをクライアント側から指定されたデータに書換える（ＳＴ４１３）。
　【００７０】
　これにより、クライアントマシン２０２からネットワークファクシミリ装置にステータス情報の更新時間を指示することが出来る。更新時間の指示はネットワークファクシミリ装置から自動的に表示される設定画面に任意の時間を入力するだけで完了する。
　【００７１】
　【発明の効果】
　以上詳記したように本発明によれば、クライアントから装置各部の状況をホームページ形式で簡単に見ることのできる複合機を提供できる。
【図面の簡単な説明】
　【図１】
　本発明の一実施の形態に係るネットワークファクシミリ装置の機能ブロック図
　【図２】
　上記実施の形態のネットワークファクシミリ装置とクライアントマシンとを接続したシステムの構成図
　【図３】
　上記実施の形態のネットワークファクシミリ装置における一部の処理の流れを示す機能ブロック図
　【図４】
　上記実施の形態においてホームページの表示から更新時間の設定までの処理を示すフロー図
　【図５】
　ＨＴＭＬファイルの関連表を示す図
　【図６】
　ホームページのメイン画面の構成図
　【図７】
　ステータスｈｔｍｌのソースファイルを示す図
　【図８】
　プリンタ状態番号とファイル名の対応テーブルを示す図
　【図９】
　上記実施の形態のネットワークファクシミリ装置におけるステータスｈｔｍｌの更新動作を示すフロー図
　【図１０】
　上記実施の形態のクライアントマシンにおけるステータスｈｔｍｌの読み込みタイミングのフロー図
　【図１１】
　上記実施の形態におけるステータス情報の更新時間の設定画面の構成図
　【図１２】
　従来のインターネットＦＡＸとＷＷＷサーバとを用いたファクシミリ通信システムの構成図
　【符号の説明】
　１　ＣＰＵ
　２　ＲＯＭ
　３　ＲＡＭ
　４　外部記憶部
　５　スキャナ部
　６　プリンタ部
　７　パネル部
　８　圧縮・伸長部
　９　ＦＡＸ・音声通信部
　１０　ネットワーク制御部
　１１　ＨＴＭＬファイル生成部
　１２　ＷＷＷサーバー部
　１３　電子メール通信部
　１４　ＴＩＦＦ変換部
　３１　ＷＷＷサーバ通信部
　３２　ＣＧＩストリング解析部
　３３　ＣＧＩアプリ判断部
　３４　ＣＧＩアプリケーション
　３５　ファイル送出部
　３６　ファイル管理部
　３７　ドキュメントリスト生成部
　３８　アドレス帳生成部
　３９　通信結果リスト生成部
　４１　ステータス情報生成部